(57)【要約】【課題】見込み寸法の異なる既設枠に同一見込み寸法の新設枠を取付けて改装サッシとすることができると共に、見込み寸法の小さな既設枠の場合でも上・縦塞ぎ部材を取付けでき、スッキリとした内観である改装サッシとする。【解決手段】新設上枠２０、新設縦枠４０の位置決め部２０ｂ、４０ｂを既設上枠４、既設縦枠６の室外側部４ｄ，６ｄに接して位置決めすることで、新設上枠２０、新設縦枠４０の室内側部２０ｃ，４０ｃを、見込み寸法の小さな既設上枠４、既設縦枠６の室内側部４ａ，６ａよりも室外側に位置するようにすることで、前記室内側部２０ｃ，４ａに亘って上塞ぎ部材５０を取付け、前記室内側部４０ｃ，６ａに亘って縦塞ぎ部材７０を取付けできるようにし、前記上・縦塞ぎ部材５０，７０を、既設上枠４、既設縦枠６の室内側部４ａ，６ａよりも室内側に張り出すことがないようにしてスッキリとした内観とする。【選択図】図１
2010174558.tif 000002
【特許請求の範囲】
【請求項１】
建物躯体の開口部に残存した既設枠内に、新設上枠と新設下枠と左右の新設縦枠を枠組みした新設枠を取付け、この新設枠に障子を装着した改装サッシであって、
前記既設枠は、室内側部よりも室内側に突出した室内側取付片を有した既設上枠、既設下枠、既設縦枠を備え、
前記新設上枠の外面と既設上枠の内面との間及び、前記新設縦枠の外面と既設縦枠の内面との間には見付け方向の隙間をそれぞれ有し、
前記新設上枠の室外側寄りに設けた位置決め部が既設上枠の室外側部に接し、その新設上枠の室外側部が既設上枠の室外側部よりも室外側に突出していると共に、前記新設上枠の室内側部は既設上枠の室内側部よりも室外側に離隔して位置するようにし、
前記新設縦枠の室外側寄りに設けた位置決め部が既設縦枠の室外側部に接し、その新設縦枠の室外側部が既設縦枠の室外側部よりも室外側に突出していると共に、前記新設縦枠の室内側部が既設縦枠の室内側部よりも室外側に離隔して位置するようにし、
前記新設上枠の室内側部と既設上枠の室内側部とに亘って上塞ぎ部材を、前記見付け方向の隙間を塞ぐと共に、前記室内側取付片よりも室外側で、その室内側取付片が露出するように取付け、
前記新設縦枠の室内側部と既設縦枠の室内側部とに亘って縦塞ぎ部材を、前記見付け方向の隙間を塞ぐと共に、前記室内側取付片よりも室外側で、その室内側取付片が露出するように取付けたことを特徴とする改装サッシ。
【請求項２】
前記新設上枠の外面における室外側寄りに、見付け方向外側に突出した外向片を設け、この外向片が既設上枠の室外側部に接するようにして位置決め部とし、
前記新設縦枠の外面における室外側寄りに、見付け方向外側に突出した外向片を設け、この外向片が既設縦枠の室外側部に接するようにして位置決め部とした請求項１記載の改装サッシ。
【請求項３】
前記新設上枠の室外側寄りに、上横シール材を装着し、この上横シール材が既設上枠の室外側部に接するようにして位置決め部とすると共に、既設上枠と新設上枠との間を水密し、
前記新設縦枠の室外側寄りに、縦シール材を装着し、この縦シール材が既設縦枠の室外側部に接するようにして位置決め部とすると共に、既設縦枠と新設縦枠との間を水密した請求項１記載の改装サッシ。
【請求項４】
前記既設上枠は、その室内側部が室内側縦板で、この室内側縦板に室内側取付片を有し、
前記上塞ぎ部材は、取付部と立上り部を有し、その取付部を新設上枠の被取付部に取付けることで、立上り部が前記隙間に挿入して、その立上り部に装着した上横水密材が前記室内側縦板の室外側面に接して水密し、
前記既設縦枠は、その室内側部が室内側内向板で、この室内側内向板に室内側取付片を有し、
前記縦塞ぎ部材は、取付部と外側に向かう横向き部を有し、その取付部を新設縦枠の被取付部に取付けることで、横向き部が前記隙間に挿入して、その横向き部に装着した縦水密材が前記室内側内向板の室外側面に接して水密するようにした請求項１〜３いずれか１項記載の改装サッシ。
【請求項５】
前記既設上枠は、その室内側部が室内側縦板で、この室内側縦板に室内側取付片を有し、
前記上塞ぎ部材は、取付部と下向き部で鉤形状とし、
前記取付部を新設上枠に取付けることで、前記下向き部が前記室内側縦板と見込み方向に略同一位置で、かつ下向き部が障子と対向するようにし、
前記取付部と室内側縦板との間を上横水密材で水密し、
前記既設縦枠は、その室内側部が室内側内向板で、この室内側内向板に室内側取付片を有し、
前記縦塞ぎ材は、取付部と内向き部で鉤形状とし、
前記取付部を新設縦枠に取付けることで、前記内向き部が前記室内側縦板と見込み方向に略同一位置で、かつ内向き部が障子と対向するようにし、
前記縦塞ぎ部材の取付部と前記室内側内向板との間を縦水密材で水密した請求項１〜３いずれか１項記載の改装サッシ。
【請求項６】
前記上横水密材を上塞ぎ部材の取付部に装着し、
前記縦水密材を縦塞ぎ部材の取付部に装着した請求項５記載の改装サッシ。
【請求項７】
前記上塞ぎ部材の取付部と既設上枠の室内側縦板の内端面との間に隙間を形成し、この隙間に前記上横水密材を押し込んで取付け、
前記縦塞ぎ部材の取付部と既設縦枠の室内側内向板の内端面との間に隙間を形成し、この隙間に前記縦水密材を押し込んで取付けた請求項５記載の改装サッシ。
【発明の詳細な説明】
【技術分野】
【０００１】
本発明は、建物躯体の開口部に取付けてある既設サッシを新設サッシに改装した改装サッシに関する。
【背景技術】
【０００２】
従来、改装サッシとしては、既設サッシの既設枠を建物躯体の開口部に残存させ、その既設枠内に、新設枠を室外側から挿入して取付けるようにした改装サッシが種々提案されている。
前述した改装サッシは、新設枠を既設枠内にスムーズに挿入するために、既設上枠の内面と新設上枠の外面とが離隔すると共に、既設縦枠の内面と新設縦枠の外面が離隔するようにして、新設枠を既設枠内に挿入する際に新設上枠、新設縦枠（外面）が既設上枠、既設縦枠（内面）に干渉しないようにしている。
このために、既設上枠の内面と新設上枠の外面との間の隙間、既設縦枠の内面と新設縦枠の外面との間の隙間が室内から見えて見苦しい。
また、新設枠を既設枠内に挿入した際に、その新設枠を見込み方向（室内外側方向）の所定位置に正しく取付けるのが困難である。
【０００３】
前述の不具合を解消できるようにした改装サッシが、特許文献１、特許文献２に開示されている。
この改装サッシは、新設上枠の室内側部と既設上枠の室内側部とに亘って前述の隙間を塞ぐ、上塞ぎ部材（上部カバー、上額縁）を取付けると共に、新設縦枠の室内側部と既設縦枠の室内側部とに亘って前述の隙間を塞ぐ、縦塞ぎ部材（縦部カバー、縦額縁）を取付け、各隙間が室内から見えずに見栄えを良くしている。
また、新設上枠の室外側寄り部分を既設上枠の室外側部に接すると共に、既設縦枠の室外側寄り部分を既設縦枠の室外側寄り部分を既設縦枠の室外側部に接することで新設上枠、新設縦枠を見付け方向に位置決めし、新設枠を見込み方の所定位置に正しく取付けできるようにしている。
【特許文献１】特開２００７−２３５６５号公報
【特許文献２】特開２００７−１３８５６０号公報
【発明の開示】
【発明が解決しようとする課題】
【０００４】
前述した従来の改装サッシのように、新設上枠、新設縦枠の室外側寄り部分を既設上枠、既設縦枠の室外側部に接して見込み方向に位置決めすると、見込み寸法の小さな既設上枠、既設縦枠（既設枠）の場合に、新設上枠、新設縦枠の室内側部分が既設上枠、既設縦枠の室内側部よりも室内側に張り出し、上・縦塞ぎ部材を取付けできないことがある。
【０００５】
前述した従来の改装サッシの既設上枠、既設下枠、既設縦枠は、それぞれ室内側取付片を有し、その各室内側取付片を建物躯体の開口部の内面にビスで固着して取付けている。
そして、前記上・縦塞ぎ部材は前述の既設上枠、既設縦枠の各室内側取付片を覆っているので、室内から見たときに上・縦塞ぎ部材が著しく目立ち、圧迫感のある内観である。
【０００６】
本発明の目的は、新設枠を既設枠内に室外側からスムーズに挿入できると共に、室内からの見栄えを良くでき、しかも見込み寸法の異なる既設枠に同一見込み寸法の新設枠を取付けて改装サッシとすることができると共に、見込み寸法の小さな既設枠の場合でも既設上枠、既設縦枠の室内側部と新設上枠、親切縦枠の室内側部とに亘って上・縦塞ぎ部材を取付けでき、室内から見た時に上・縦塞ぎ部材が目立つことがなく、スッキリした内観である改装サッシとすることである。
【課題を解決するための手段】
【０００７】
本発明は、建物躯体の開口部に残存した既設枠内に、新設上枠と新設下枠と左右の新設縦枠を枠組みした新設枠を取付け、この新設枠に障子を装着した改装サッシであって、
前記既設枠は、室内側部よりも室内側に突出した室内側取付片を有した既設上枠、既設下枠、既設縦枠を備え、
前記新設上枠の外面と既設上枠の内面との間及び、前記新設縦枠の外面と既設縦枠の内面との間には見付け方向の隙間をそれぞれ有し、
前記新設上枠の室外側寄りに設けた位置決め部が既設上枠の室外側部に接し、その新設上枠の室外側部が既設上枠の室外側部よりも室外側に突出していると共に、前記新設上枠の室内側部は既設上枠の室内側部よりも室外側に離隔して位置するようにし、
前記新設縦枠の室外側寄りに設けた位置決め部が既設縦枠の室外側部に接し、その新設縦枠の室外側部が既設縦枠の室外側部よりも室外側に突出していると共に、前記新設縦枠の室内側部が既設縦枠の室内側部よりも室外側に離隔して位置するようにし、
前記新設上枠の室内側部と既設上枠の室内側部とに亘って上塞ぎ部材を、前記見付け方向の隙間を塞ぐと共に、前記室内側取付片よりも室外側で、その室内側取付片が露出するように取付け、
前記新設縦枠の室内側部と既設縦枠の室内側部とに亘って縦塞ぎ部材を、前記見付け方向の隙間を塞ぐと共に、前記室内側取付片よりも室外側で、その室内側取付片が露出するように取付けたことを特徴とする改装サッシである。
【０００８】
本発明においては、前記新設上枠の外面における室外側寄りに、見付け方向外側に突出した外向片を設け、この外向片が既設上枠の室外側部に接するようにして位置決め部とし、
前記新設縦枠の外面における室外側寄りに、見付け方向外側に突出した外向片を設け、この外向片が既設縦枠の室外側部に接するようにして位置決め部とすることができる。
このようにすれば、各外向片が既設上枠、既設縦枠の室外側部に接することで見込み方向に位置決めするので、新設上枠、新設縦枠を見込み方向に正確に位置決めできる。
【０００９】
本発明においては、前記新設上枠の室外側寄りに、上横シール材を装着し、この上横シール材が既設上枠の室外側部に接するようにして位置決め部とすると共に、既設上枠と新設上枠との間を水密し、
前記新設縦枠の室外側寄りに、縦シール材を装着し、この縦シール材が既設縦枠の室外側部に接するようにして位置決め部とすると共に、既設縦枠と新設縦枠との間を水密することができる。
このようにすれば、見込み方向の位置決めをする上横シール材、縦シール材を利用して既設上枠、既設縦枠の室外側部と新設上枠、新設縦枠との間を水密できる。
【００１０】
本発明においては、前記既設上枠は、その室内側部が室内側縦板で、この室内側縦板に室内側取付片を有し、
前記上塞ぎ部材は、取付部と立上り部を有し、その取付部を新設上枠の被取付部に取付けることで、立上り部が前記隙間に挿入して、その立上り部に装着した上横水密材が前記室内側縦板の室外側面に接して水密し、
前記既設縦枠は、その室内側部が室内側内向板で、この室内側内向板に室内側取付片を有し、
前記縦塞ぎ部材は、取付部と外側に向かう横向き部を有し、その取付部を新設縦枠の被取付部に取付けることで、横向き部が前記隙間に挿入して、その横向き部に装着した縦水密材が前記室内側内向板の室外側面に接して水密するようにできる。
このようにすれば、既設上枠と新設上枠との間に浸入した雨水等が上塞ぎ部材と既設上枠の室内側部との間から室内側に浸入することがない。
また、既設縦枠と新設縦枠との間に浸入した雨水等が縦塞ぎ部材と既設縦枠の室内側部との間から室内側に浸入することがない。
また、上塞ぎ部材の立上り部の上横水密材を装着した部分が既設上枠の室内側縦板で覆われて室内から見えないと共に、その立上り部は室内側縦板よりも室外側に位置するから、上塞ぎ部材が目立つことがない。
また、縦塞ぎ部材の横向き部の縦水密材を装着した部分が既設縦枠の室内側縦板で覆われて室内から見えないと共に、その横向き部は室内側縦板よりも室外側に位置するから、縦塞ぎ部材が目立つことがない。
したがって、より一層スッキリとした内観となる。
【００１１】
本発明においては、前記既設上枠は、その室内側部が室内側縦板で、この室内側縦板に室内側取付片を有し、
前記上塞ぎ部材は、取付部と下向き部で鉤形状とし、
前記取付部を新設上枠に取付けることで、前記下向き部が前記室内側縦板と見込み方向に略同一位置で、かつ下向き部が障子と対向するようにし、
前記取付部と室内側縦板との間を上横水密材で水密し、
前記既設縦枠は、その室内側部が室内側内向板で、この室内側内向板に室内側取付片を有し、
前記縦塞ぎ材は、取付部と内向き部で鉤形状とし、
前記取付部を新設縦枠に取付けることで、前記内向き部が前記室内側縦板と見込み方向に略同一位置で、かつ内向き部が障子と対向するようにし、
前記縦塞ぎ部材の取付部と前記室内側内向板との間を縦水密材で水密できる。
このようにすれば、既設上枠と新設上枠との間に浸入した雨水等が上塞ぎ部材と既設上枠の室内側部との間から室内側に浸入することがない。
また、既設縦枠と新設縦枠との間に浸入した雨水等が縦塞ぎ部材と既設縦枠の室内側部との間から室内側に浸入することがない。
また、上塞ぎ部材が新設上枠の一部分のように見えるし、縦塞ぎ部材が新設縦枠の一部分のように見えるので、著しくスッキリとした内観である。
【００１２】
本発明においては、前記上横水密材を上塞ぎ部材の取付部に装着し、
前記縦水密材を縦塞ぎ部材の取付部に装着することができる。
このようにすれば、上塞ぎ部材、縦塞ぎ部材を取付けることで上・縦塞ぎ部材と室内側縦板、室内側内向板との間を水密することができる。
【００１３】
本発明においては、前記上塞ぎ部材の取付部と既設上枠の室内側縦板の内端面との間に隙間を形成し、この隙間に前記上横水密材を押し込んで取付け、
前記縦塞ぎ部材の取付部と既設縦枠の室内側内向板の内端面との間に隙間を形成し、この隙間に前記縦水密材を押し込んで取付けできる。
このようにすれば、上横水密材、縦水密材を簡単に交換することができる。
【発明の効果】
【００１４】
本発明によれば、新設上枠、新設縦枠の外面と既設上枠、既設縦枠の内面との間に、見付け方向の隙間があるから、新設枠を既設枠内に室外側からスムーズに挿入できると共に、前述の各見付け方向の隙間を上塞ぎ部材、縦塞ぎ部材で塞いで室内からの見栄えを良くできる。
また、見込み寸法の異なる既設枠に同一見込み寸法の新設枠を取付けて改装サッシとすることができる。
また、見込み寸法の小さな既設枠に新設枠を取付けた場合に、新設上枠、新設縦枠の室内側部が、既設上枠、既設縦枠の室内側部よりも室内側に張り出すことがないので、その新設上枠、新設縦枠の室内側部と既設上枠、既設縦枠の室内側部とに亘って上塞ぎ部材、縦塞ぎ部材をそれぞれ取付けできる。
また、上塞ぎ部材は既設上枠の室内側取付片よりも室外側に設けられて室内側取付片が露出していると共に、縦塞ぎ部材は既設縦枠の室内側取付片よりも室外側に設けられて室内側取付片が露出しているので、室内から見たときに上塞ぎ部材、縦塞ぎ部材が目立つことがなく、スッキリとした内観である。
【発明を実施するための最良の形態】
【００１５】
図１と図２に示すように、建物躯体１の開口部２には、既設サッシの既設枠３が取付けてある。つまり、既設サッシを、その既設枠３のみを残存して他の部分を取り外してある。
前記既設枠３は、既設上枠４と既設下枠５と左右の既設縦枠６を備えている。
前記既設上枠４、既設下枠５、左右の既設縦枠６（つまり既設枠３）は、室内側部４ａ，５ａ，６ａよりも室内側に向けて突出した室内側取付片４ｂ，５ｂ，６ｂを有し、その各室内側取付片４ｂ，５ｂ，６ｂが開口部２の上内面２ａ、下内面２ｂ、縦内面２ｃ（つまり、開口部２の内面）に、図示しないビスなどの固着具で固着して取付けてある。
【００１６】
前記既設枠３内には、新設サッシの新設枠１０が取付けてある。
この新設枠１０は、新設上枠２０と新設下枠３０と左右の新設縦枠４０を枠組みしてある。
前記新設上枠２０の外面２０ａと既設上枠４の内面４ｃとが見付け方向（上下方向）に離隔して両者の間に見付け方向の隙間Ｓがある。
前記新設縦枠４０の外面４０ａと既設縦枠６の内面６ｃとが見付け方向（左右方向）に離隔して両者の間に見付け方向の隙間Ｓがある。
前記新設下枠３０の見付け方向の外面３０ａは既設下枠５の見付け方向の内面５ｃに接している。
これによって、新設枠１０を室外側から既設枠３内に見込み方向に挿入するときに、新設上枠２０、新設縦枠４０（外面２０ａ，４０ａ）が既設上枠４、既設縦枠６（内面４ｃ，６ｃ）と干渉することがなく、スムーズに挿入することができる。
【００１７】
図１、図２に示す既設上枠４、既設下枠５、既設縦枠６には上下地材７、下下地材８、縦下地材９がそれぞれ取付けてあり、この各下地材に取付ねじを螺合して新設上枠２０、新設下枠３０、新設縦枠４０が設けてある。
そして、上下地材７、縦下地材９は既設上枠４、既設縦枠６の内面４ｃ，６ｃと面一である。
なお、上下地材７、縦下地材９が既設上枠４、既設縦枠６の内面４ｃ，６ｃよりも内方に突出している場合には、その上下地材７、縦下地材９の突出している部分を既設上枠４の内面、既設縦枠６の内面とする。
【００１８】
図１、図２では前述の隙間Ｓにライナー７ａ，９ａが設けてあるが、このライナー７ａ，９ａは新設枠１０を既設枠３内に挿入した後に取付ける。
また、新設下枠３０の外面３０ａは下下地材８に接し、その下下地材８が既設下枠５の内面５ｃである。
前述の説明で、見付け方向とは室内外側方向（見込み方向）と直角な方向で、図１では上下方向、図２では左右方向である。
【００１９】
前記新設枠１０は既設枠３内に、その既設枠３の室外側部を基準として取付けられ、その新設枠１０の室外側部は既設枠３の室外側部よりも室外側に突出し、その突出寸法は既設枠３の見込み寸法が異なっても常に一定で、見込み寸法の異なる既設枠３に同一見込み寸法の新設枠１０を取付けできる。
前記新設枠１０の室内側部は既設枠３の室内側部よりも室外側に離隔し、既設枠３の見込み寸法が小さい場合でも新設枠１０の室内側部が既設枠３の室内側部よりも室外側に位置し、室内側に張り出すことがないようにしてある。
【００２０】
例えば、新設上枠２０の室外側寄りに位置決め部２０ｂを設けると共に、新設縦枠４０の室外側寄りに位置決め部４０ｂを設け、各位置決め部２０ｂ，４０ｂを既設上枠４の室外側部４ｄ、既設縦枠６の室外側部６ｄにそれぞれ接して新設上枠２０、新設縦枠４０を見込み方向に位置決めする。
前記新設下枠３０は、その室内側部３０ｂが既設下枠５（下下地材８）に接して見込み方向に位置決めされる。
【００２１】
これによって、前記新設上枠２０、新設下枠３０、新設縦枠４０の室内側部２０ｃ，３０ｂ，４０ｃ（つまり、新設枠１０の室内側部）は、前記既設上枠４、既設下枠５、既設縦枠６の室内側部４ａ，５ａ，６ａ（つまり、既設枠３の室内側部）よりも室外側に位置している。
前記新設上枠２０、新設下枠３０、新設縦枠４０の室外側部２０ｄ，３０ｃ，４０ｄ（つまり、新設枠１０の室外側部）は、前記既設上枠４、既設下枠５、既設縦枠６の室外側部４ｄ，５ｇ，６ｄ（つまり、既設枠３の室外側部）よりも室外側に突出し、その突出寸法は既設枠３の見込み寸法が異なっても常に一定である。
【００２２】
前記新設上枠２０の室内側部２０ｃと既設上枠４の室内側部４ａとに亘って上塞ぎ部材５０を取付けて前記見付け方向の隙間Ｓを塞いでいる。
この上塞ぎ部材５０は、既設上枠４の室内側部４ａより室内側に張り出しせずに、既設上枠４の室内側取付片４ｂよりも室外側に位置し、その室内側取付片４ｂが露出している。
前記新設下枠３０の室内側部３０ｂと既設下枠５の室内側部５ａとに亘って下塞ぎ部材６０を取付けている。
前記新設縦枠４０の室内側部４０ｃと既設縦枠６の室内側部６ａとに亘って縦塞ぎ部材７０を取付けて前記見付け方向の隙間Ｓを塞いでいる。
この縦塞ぎ部材７０は、既設縦枠６の室内側部６ａよりも室内側に張り出しせずに、既設縦枠６の室内側取付片６ｂよりも室外側に位置し、その室内側取付片６ｂが露出している。
【００２３】
前記新設枠１０内に障子１１を装着して改装サッシとしてある。
【００２４】
このようであるから、改装サッシを室内から見たときに上塞ぎ部材５０、縦塞ぎ部材７０が目立つことがなく、スッキリとした内観である。
【００２５】
また、新設上枠２０、新設縦枠４０の室外側部２０ｄ，４０ｄは、既設上枠４、既設縦枠６の見込み寸法が異なっても、常にその既設上枠４、既設縦枠６の室外側部４ｄ，６ｄよりも室外側に一定寸法だけ突出し、前記既設上枠４、既設縦枠６の見込み寸法が小さい場合でも、その新設上枠２０、新設縦枠４０の室内側部２０ｃ，４０ｃは既設上枠４、既設縦枠６の室内側部４ａ，６ａよりも室外側に位置するようにしてあるので、見込み寸法の小さな既設枠３の場合でも上塞ぎ部材５０、縦塞ぎ部材７０を取付けできる。
【００２６】
要するに、既設サッシの既設枠の見込み寸法は、製造メーカによって異なる場合や、既設サッシの種類で異なる場合があり、その見込み寸法の差は数１０ｍｍ程度である。
したがって、新設枠の見込み寸法を前述の見込み寸法の差の最大値を許容する寸法とし、最も小さな見込み寸法の既設枠に新設枠を取付けた場合に、新設枠の室内側部が既設枠の室内側部よりも室外側に位置するようにすることで、前述のように見込み寸法が異なる既設枠に同一見込み寸法の新設枠を取付けできると共に、上・縦塞ぎ部材５０，７０を取付けできる。
【００２７】
また、既設上枠４の室内側取付片４ｂ、既設縦枠６の室内側取付片６ｂが露出しているので、その室内側取付片４ｂ、６ｂを覆うように樹脂カバーを取付けて室内側取付片４ｂ，６ｂに結露が生じないようにできる。
【００２８】
次に、各部材の詳細を説明する。
前記既設上枠４は、図３に示すように、見込み方向に向かう横板４ｅと室内側縦板４ｆと中間縦板４ｇと室外側縦板４ｈを有し、その室内側縦板４ｆに前記室内側取付片４ｂが設けてある。
前記室内側縦板４ｆが前述の室内側部４ａで、室外側縦板４ｈが前述の室外側部４ｄである。
前記新設上枠２０は、図３に示すように、見込み方向に向かう横長の本体２１と、この本体２１に設けた上レール２２と、前記本体２１の室内側端に設けた下向片２３と、室内側寄り部分に設けた突片２４を有した垂下板２５と、室外側端に設けた室外側垂下板２６などを有し、前記本体２１の外面における室外側寄りに、見付け方向の外側に向かう外向片２７を設けてある。
前記本体２１の外面が、前述の外面２０ａで、前記外向片２７が前述の位置決め部２０ｂで、その本体２１の室内側寄り部分と、下向片２３、突片２４、垂下板２５が塞ぎ部材の被取付部であり、その本体２１の下向片２３が前述の室内側部２０ｃであると共に、室外側垂下板２６が前述の室外側部２０ｄである。
前記本体２１の室外側寄りに凹条溝２８が上面に開口して形成され、その凹条溝２８に上横シール材２９が上向きに装着してある。
【００２９】
前記新設上枠２０の外向片２７が既設上枠４の室外側縦板４ｈの室外側面に接して新設上枠２０は見込み方向に位置決めされる。
これによって、新設上枠２０を正確に見込み方向に位置決めできる。
前記本体２１の外面と上下地材７との間にライナー７ａを設け、本体２１から取付ねじ２０ｅを上下地材７に螺合して新設上枠２０を既設上枠４に取付ける。
前記上横シール材２９が建物躯体１の開口部２の上内面２ａにおける既存の枠上横シール材１ａよりも室外側に接し、前記枠上横シール材１ａに雨水等がかからないようにしてある。前記枠上横シール材１ａは、既設上枠４の室外側部４ｄと建物躯体１との間を水密する水密材である。
前記新設上枠２０の下向片２３が既設上枠４の室内側縦板４ｆよりも室外側に位置している。
【００３０】
前記上塞ぎ部材５０は図３に示すように、取付部５０ａと立上り部５０ｂを有し、その立上り部５０ｂに上横水密材５１が室内側に向けて装着してある。
前記取付部５０ａが新設上枠２０の被取付部にビス等の固着具５２で取付けることで、立上り部５０ｂの上横水密材５１を装着した部分が既設上枠４の室内側縦板４ｆの下端よりも上方に位置し、その上横水密材５１が既設上枠４の室内側縦板４ｆの室外側面に接する。
【００３１】
このようであるから、上塞ぎ部材５０の立上り部５０ｂの上横水密材５１を装着した部分が既設上枠４の室内側縦板４ｆで覆われて室内から見えないと共に、その立上り部５０ｂは既設上枠４の室内側縦板４ｆよりも室外側に位置するから、上塞ぎ部材５０が目立つことがない。
また、既設上枠４と新設上枠２０との間から浸入した雨水等が室内側に浸入することを上横水密材５１で防止する。
【００３２】
前記上塞ぎ部材５０の取付けを図３に基づいて説明する。
前記上塞ぎ部材５０は、横板５３と縦板５４で鉤形状の本体を有し、その横板５３の室外側端に上向板５５を有すると共に、縦板５４の上下中間には室外側に向かう鉤片５６を有し、それらで取付部５０ａとしてある。この縦板５４の上部に前述の上横水密材５１が装着してあり、その縦板５４が立上り部５０ｂである。
そして、上向板５５が新設上枠２０の垂下板２５に沿って上下方向にスライド可能で、上塞ぎ部材５０の取付部５０ａは新設上枠２０の被取付部に沿って上下方向にスライド可能である。
前述のように、上向板５５を垂下板２５に沿って上方にスライドすることで、上向板５５の端部が突片２４に当接すると共に、鉤片５６が新設上枠２０の下向片２３に係止して上塞ぎ部材５０が上方及び見込み方向（室内外側方向）に動かないように仮取付けできる。
【００３３】
これによって、縦板５４が既設上枠４の室内側縦板４ｆと上下方向に重なり合い、上横水密材５１が室内側縦板４ｆの室外側面に接する。
この状態で、横板５３をビスなどの固着具５２で新設上枠２０の本体２１の室内側部分に固着して取付ける。
【００３４】
このようであるから、既設枠３内に新設枠１０を取付けた後に、上塞ぎ部材５０を室内側から簡単に取付けできる。
【００３５】
前記既設下枠５は、図４に示すように、横板５ｄと縦板５ｅでほぼ鉤形状で、その縦板５ｅに前述の室内側取付片５ｂが設けてあり、その縦板５ｅが前述の室内側部５ａである。
前記横板５ｄの室外側端部が室外側部５ｄである。
前記横板５ｄにレール５ｆが設けてある。
前記新設下枠３０は、見込み方向に向かう本体３１と、この本体３１に設けたレール３２を有し、その本体３１の室内側端が前記室内側部３０ｂで、室外側端が前記室外側部３０ｃである。
前記本体３１が下下地材８にビスなどの固着具３０ｅで固着して取付けてある。
【００３６】
前記下下地材８は、図４に示すように、横板８ａと室内側縦板８ｂと室外側縦板８ｃで下向きコ字形状で、その横板８ａに鉤片８ｄが設けてある。
前記室外側縦板８ｃが前記既設下枠５のレール５ｆにビスなどの固着具３３で固着され、室内側縦板８ｂが既設下枠５の横板５ｄにライナー３４を介して接している。
前記新設下枠３０の本体３１の室内側端が下下地材８の鉤片８ｄに当接して見込み方向に位置決めされる。
【００３７】
前記下塞ぎ部材６０は、図４に示すように、見込み方向の中間の下部に下横水密材６１が下向きに装着され、この下横水密材６１が既設下枠５の室内側部５ａ（縦板５ｅの上端部）に接するように、下下地材８の鉤片８ｄにビス等の固着具６２で固着して取付けてある。
【００３８】
前記既設縦枠６は、図５に示すように、見込み方向に向かう縦板６ｅに室内側内向板６ｆ、中間内向板６ｇ、室外側内向板６ｈを設けた断面形状で、その室内側内向板６ｆに前述の室内側取付片６ｂが設けてある。
前記室内側内向板６ｆが前述の室内側部６ａで、室外側内向板６ｈが前述の室外側部６ｄである。
前記新設縦枠４０は、図５に示すように、見込み方向に向かう本体４１を有し、この本体４１の室内側寄りに突片４２を有した内向板４３が設けてあると共に、本体４１の室内側端に内向片４４が設けられており、これらが縦塞ぎ部材７０の被取付部である。
前記本体４１の外面における室外側寄りに、見付け方向の外側に向かう外向片４５が設けてある。
前記本体４１の外面が前述の外面４０ａで、前記外向片４５が前述の位置決め部４０ｂである。
前記本体４１の内向片４４が前述の室内側部４０ｃで、室外側端が室外側部４０ｄである。
前記本体４１の外面における外向片４５よりも室外側寄りには外側に開口した凹条溝４６が形成され、この凹条溝４６に縦シール材４７装着してある。
【００３９】
前記新設縦枠４０の外向片４５が既設縦枠６の室外側内向板６ｈの室外側面に接して新設縦枠４０は見込み方向に位置決めされる。
これによって、新設縦枠４０を正確に見込み方向に位置決めできる。
前記本体４１の外面と縦下地材９との間にライナー９ａを設け、本体４１から取付ねじ４０ｅを縦下地材９に螺合して新設縦枠４０を既設縦枠６に取付ける。
前記縦シール材４７が建物躯体１の開口部２の縦内面２ｃにおける既存の枠縦シール材１ｂよりも室外側に接し、その枠縦シール材１ｂに雨水等がかからないようにしている。
前記新設縦枠４０の内向片４４が既設縦枠６の室内側内向板６ｆよりも室外側に位置している。
【００４０】
前記縦塞ぎ部材７０は図５に示すように、取付部７０ａと外向きの横向き部７０ｂを有し、その横向き部７０ｂに縦水密材７１が室内側に向けて装着してある。
前記取付部７０ａが新設縦枠４０の被取付部にビス等の固着具７２で取付けることで、横向き部７０ｂの縦水密材７１を装着した部分が既設縦枠６の室内側縦板６ｆの内端よりも外方に位置し、その縦水密材７１が既設縦枠６の室内側内向板６ｆの室外側面に接する。
【００４１】
このようであるから、縦塞ぎ部材７０の横向き部７０ｂの縦水密材７１を装着した部分が既設縦枠６の室内側内向板６ｆで覆われて室内から見えないと共に、その横向き部７０ｂは既設縦枠６の室内側内向板６ｆよりも室外側に位置するから、縦塞ぎ部材７０が目立つことがない。
また、既設縦枠６と新設縦枠４０との間から浸入した雨水等が室内側に浸入することを縦水密材７１で防止できる。
【００４２】
前記縦塞ぎ部材７０の取付けを図５に基づいて説明する。
前記縦塞ぎ部材７０は、見込み方向に向かう基板７３と左右方向に向かう外向板７４で鉤形状の本体を有し、その基板７３の室外側端に外向板７５を有すると共に、外向板７４の左右中間には室外側に向かう鉤片７６を有し、それらで取付部７０ａとしてある。この外向板７４の外部に前述の縦水密材７１が装着してあり、その外向板７４が横向き部７０ｂである。
そして、外向板７５が新設縦枠４０の内向板４３に沿って左右方向にスライド可能で、縦塞ぎ部材７０の取付部７０ａは新設縦枠４０の被取付部に沿って左右方向にスライド可能である。
前述のように、外向板７５を内向板４３に沿って左右方にスライドすることで、外向板７５の端部が突片４２に当接すると共に、鉤片７６が新設縦枠４０の内向片４４に係止して縦塞ぎ部材７０が左右方及び見込み方向（室内外側方向）に動かないように仮取付けできる。
【００４３】
これによって、外向板７４が既設縦枠６の室内側縦板６ｆと左右方向に重なり合い、縦水密材７１が室内側内向板６ｆの室外側面に接する。
この状態で、基板７３をビスなどの固着具７２で新設縦枠４０の本体４１の室内側部分に固着して取付ける。
【００４４】
このようであるから、既設枠３内に新設枠１０を取付けた後に、縦塞ぎ部材７０を室内側から簡単に取付けできる。
【００４５】
前記新設上枠２０の被取付部と新設縦枠４０の被取付部の形状が同一で、その被取付部と既設上枠４、既設縦枠６の室内側縦板４ｆ、室内側内向板６ｆの間の見込み寸法も同一とし、上塞ぎ部材５０と縦塞ぎ部材７０を同一形状としてある。
【００４６】
次に、既設サッシを新設サッシに改装する方法を説明する。
既設サッシの既設枠３以外を取り外して既設枠３を建物躯体１の開口部２に残存させる。
この既設枠３の既設上枠４、既設下枠５、既設縦枠６に、上下地材７、下下地材８、縦下地材９をそれぞれ取付ける。
新設上枠２０と新設下枠３０と新設縦枠４０を方形状に枠組みした新設枠１０を、前記既設枠３の室外側から室内側に向けて移動して既設枠３内に挿入し、新設下枠３０を下下地材８に載置して新設枠１０を既設枠３で支持すると共に、新設下枠３０の室内側部３０ｂを下下地材８に接する。
【００４７】
そして、新設枠１０を既設枠３に対して見込み方向に位置決めする。
つまり、前述のように新設下枠３０の室内側部３０ｂが下下地材８に接することで新設下枠３０は見込み方向に位置決めすることが可能であるが、それでは見込み方向の位置決めが不十分、特に新設上枠２０、新設縦枠４０の位置決めが不十分なことがあるので、新設上枠２０、新設縦枠４０を前述のように、外向片２７，４５を既設上枠４、既設縦枠６の室外側縦板４ｈ、室外側内向板６ｈに接して見込み方向に位置決めする。
【００４８】
この後に、新設上枠２０、新設下枠３０、新設縦枠４０から固着具２０ｅ，３０ｅ，４０ｅを上下地材７、下下地材８、縦下地材９に螺合して新設枠１０を既設枠３内に取付ける。
そして、上塞ぎ部材５０、下塞ぎ部材６０、縦塞ぎ部材７０を既設枠３の室内側から図１、図２に示すように取付ける。
最後に、新設枠１０内に障子１１を装着して新設サッシとする。
【００４９】
次に、本発明の第２の実施の形態を図６、図７に基づいて説明する。
この実施の形態は、新設上枠２０の位置決め部２０ｂ、新設縦枠４０の位置決め部４０ｂを上横シール材２９、縦シール材４７としたことが第１の実施の形態と相違し、他の構成は第１の実施の形態と同様である。
図６に示すように、新設上枠２０の本体２１に凹条溝２８を、室内側に向けて開口して形成する。
前記上横シール材２９を、凹条溝２８に取付ける取付部２９ａと、この取付部２９ａに設けた第１シール部２９ｂと、この第１シール部２９ｂに設けた第２シール部２９ｃを有した形状とする。
前記第１シール部２９ｂの室外側面が凹条溝２８の開口縁と連続した室内側に向かう第１支持面２８ａに接し、室内側面が既設上枠４の室外側縦板４ｈの室外側面に接し、下面が本体２１の外面に接している。
これによって、第１シール部２９ｂによって新設上枠２０を見込み方向に位置決めでき、第１シール部２９ｂが位置決め部２０ｂであると共に、新設上枠２０の外面２０ａと既設上枠４の室外側部４ｄとの間を水密できる。
【００５０】
前記第２シール部２９ｃは、凹条溝２８を形成する部分の外面である第２支持面２８ｂに接し、かつ建物躯体１の開口部２の上内面２ａにおける既存の枠上横シール材１ａよりも室外側に接している。
【００５１】
図７に示すように、新設縦枠４０の本体４１に凹条溝４６を、室内側に向けて開口して形成する。
前記縦シール材４７を、凹条溝４６に取付ける取付部４７ａと、この取付部４７ａに設けた第１シール部４７ｂと、この第１シール部４７ｂに設けた第２シール部４７ｃを有した形状とする。
前記第１シール部４７ｂの室外側面が凹条溝４６の開口縁と連続した室内側に向かう第１支持面４６ａに接し、室内側面が既設縦枠６の室外側内向板６ｈの室外側面に接し、内面が本体４１の外面に接している。
これによって、第１シール部４７ｂによって新設縦枠４０を見込み方向に位置決めでき、第１シール部４７ｂが位置決め部４０ｂであると共に、新設縦枠４０の外面４０ａと既設縦枠の室外側部６ｄとの間を水密できる。
しかも、障子１１を閉じて新設縦枠４０に衝突して衝撃が作用したときに、縦シール材４７が弾性圧縮変形し、その衝撃を縦シール材４７で緩和することができる。
【００５２】
前記第２シール部４７ｃは、前記新設縦枠４０の凹条溝４６を形成する部分の外面である第２支持面４６ｂに接し、かつ建物躯体１の開口部２の縦面２ｃにおける既存の枠縦シール材１ｂよりも室外側に接する。前記枠縦シール材１ｂは既設縦枠６の室外側部６ｄと建物躯体１との間を水密する水密材である。
【００５３】
このようであるから、上横シール材２９で新設上枠２０を見込み方向に位置決めできると共に、新設上枠２０と既設上枠４の室外側部４ｄとの間を水密できる。しかも、新設上枠２０と建物躯体１の開口部２の上内面２ａとの間を水密し、既存の上横シール材１ａに雨水等がかかることを防止できる。
また、縦シール材４７で新設縦枠４０を見込み方向に位置決めできると共に、新設縦枠４０と既設縦枠６の室外側部６ｄとの間を水密でき、しかも新設縦枠４０と建物躯体１の開口部２の縦内面２ｃとの間を水密し、既存の縦シール材１ｂに雨水等がかかることを防止できる。
【００５４】
次に本発明の第３の実施の形態を図８、図９に基づいて説明する。
図８に示すように、前記上塞ぎ部材５０は板状の取付部５０ａと板状の下向き部５０ｃで鉤形状で、その取付部５０ａの室内側端に上向きの凹条溝５７が形成してある。
この凹条溝５７に前記上横水密材５１を上向きに装着してある。
前記取付部５０ａが新設上枠２０の本体２１の上面にビス等の固着具５２で取付けられ、前記下向き部５０ｃは既設上枠４の室内側縦板４ｆ（室内側部４ａ）と見込み方向に同一位置で、かつ下方に位置して上塞ぎ部材５０は既設上枠４の室内側取付片４ｂよりも室外側に位置し、その室内側取付片４ｂが露出している。
前記上横水密材５１が既設上枠４の室内側縦板４ｆの内端面（室内側部４ａ）に接して水密している。
前記下向き部５０ｃが新設上枠２０のレール２２（つまり、障子１１）と対向して新設上枠２０の室内側縦板を兼用している。
【００５５】
このようにすれば、室内側から見たときに、上塞ぎ部材５０は新設上枠２０の一部分のように見えると共に、上横水密材５１が見えるだけであるから、新設サッシの上部が著しくスッキリとした内観である。
【００５６】
図９に示すように、前記縦塞ぎ部材７０は見込み方向に向かう板状の取付部７０ａと、左右方向に向かうと共に、取付部７０ａよりも内方に向かう板状の内向き部７０ｃで鉤形状で、その取付部７０ａの室内側端に外向きの凹条溝７６が形成してある。
この凹条溝７６に前記縦水密材７１が外向きに装着してある。
前記取付部７０ａが新設縦枠４０の本体４１の外面にビス等の固着具７２で取付けてある。
前記内向き部７０ｃは既設縦枠６の室内側内向板６ｆ（室内側部６ａ）と見込み方向に同一位置で、かつ内方に位置して縦塞ぎ部材７０は既設縦枠６の室内側取付片６ｂよりも室外側に位置し、その室内側取付片６ｂが露出している。
前記縦水密材７１が新設縦枠６の室内側内向板６ｆの内端面（室内側部６ａ）に接して水密している。
前記横向き部７０ｃが新設サッシの障子１１と対向し、この横向き部７０ｃは新設縦枠４０の室内側内向板を兼用している。
【００５７】
このようにすれば、室内側から見たときに、縦塞ぎ部材７０は新設縦枠４０の一部分のように見えると共に、縦水密材７１が見えるだけであるから、新設サッシの縦部が著しくスッキリとした内観である。
【００５８】
この実施の形態では、図８に示すように、下下地材８は既設下枠５の室内寄りのレール５ｆに固着具３３で固着して取付け、室外寄りのレール５ｆは除去してある。
【００５９】
この実施の形態では、外向片２７，４５を位置決め部２０ｂ，４０ｂとしてあるが、図６、図７に示すように上横シール材２９、縦シール材４７を位置決め部２０ｂ，４０ｂとしても良い。
【００６０】
次に、本発明の第４の実施の形態を図１０、図１１に基づいて説明する。
この実施の形態は、上横水密材５１、縦水密材７１を上塞ぎ部材５０、縦塞ぎ部材７０とは別とし、上塞ぎ部材５０、縦塞ぎ部材７０を取付けた後に、上横水密材５１、縦水密材７１を取付けるようにしたことが第３の実施の形態と相違し、他の実施の形態は第３の実施の形態と同様である。
図１０に示すように、上塞ぎ部材５０は板状の取付部５０ａと板状の下向き部５０ｃで鉤形状で、その取付部５０ａの上面は平坦面である。
前記取付部５０ａの上面と既設上枠４の室内側縦板４ｆの内端面との間に隙間がある。
前記上横水密材５１は、前記隙間に室内側から押し込んで取付ける。
【００６１】
図１１に示すように、縦塞ぎ部材７０は板状の取付部７０ａと板状の内向き部７０ｃで鉤形状で、その取付部７０ａの外面は平坦面である。
前記取付部７０ａの外面と既設縦枠６の室内側内向板６ｆの内端面との間に隙間がある。
前記縦水密材７１は、前記隙間に室内側から押し込んで取付ける。
【００６２】
このようにすることで、上塞ぎ部材５０、縦塞ぎ部材７０を取付けたままの状態で、上横水密材５１、縦水密材７１を外したり、取付けたりできるから、その上横水密材５１、縦水密材７１を簡単に交換できる。
【図面の簡単な説明】
【００６３】
【図１】本発明の第１の実施の形態を示す改装サッシの縦断面図である。
【図２】本発明の第１の実施の形態を示す改装サッシの横断面図である。
【図３】改装サッシの上部拡大断面図である。
【図４】改装サッシの下部拡大断面図である。
【図５】改装サッシの縦部拡大断面図である。
【図６】本発明の第２の実施の形態を示す改装サッシの縦断面図である。
【図７】本発明の第２の実施の形態を示す改装サッシの横断面図である。
【図８】本発明の第３の実施の形態を示す改装サッシの縦断面図である。
【図９】本発明の第３の実施の形態を示す改装サッシの横断面図である。
【図１０】本発明の第４の実施の形態を示す改装サッシの縦断面図である。
【図１１】本発明の第４の実施の形態を示す改装サッシの横断面図である。
【符号の説明】
【００６４】
１…建物躯体、１ａ…枠上横シール材、１ｂ…枠縦シール材、２…開口部、２ａ…上内面、２ｃ…縦内面、３…既設枠、４…既設上枠、４ａ…室内側部、４ｂ…室内側取付片、４ｃ…内面、４ｄ…室外側部、４ｆ…室内側縦板、５…既設下枠、５ａ…室内側部、５ｂ…室内側取付片、６…既設縦枠、６ａ…室内側部、６ｂ…室内側取付片、６ｃ…内面、６ｄ…室外側部、６ｆ…室内側内向板、１０…新設枠、１１…障子、２０…新設上枠、２０ａ…外面、２０ｂ…位置決め部、２０ｃ…室内側部、２０ｄ…室外側部、２７…外向片、２８…凹条溝、２９…上横シール材、３０…新設下枠、３０ａ…外面、３０ｂ…室内側部、３０ｃ…室外側部、４０…新設縦枠、４０ａ…外面、４０ｂ…位置決め部、４０ｃ…室内側部、４０ｄ…室外側部、４５…外向片、４６…凹条溝、４７…縦シール材、５０…上塞ぎ部材、５０ａ…取付部、５０ｂ…立上り部、５０ｃ…下向き部、５１…上横水密材、６０…下塞ぎ部材、７０…縦塞ぎ部材、７０ａ…取付部、７０ｂ…横向き部、７０ｃ…内向き部、７１…縦水密材。
【図１】
2010174558.tif 000003
【図２】
2010174558.tif 000004
【図３】
2010174558.tif 000005
【図４】
2010174558.tif 000006
【図５】
2010174558.tif 000007
【図６】
2010174558.tif 000008
【図７】
2010174558.tif 000009
【図８】
2010174558.tif 000010
【図９】
2010174558.tif 000011
【図１０】
2010174558.tif 000012
【図１１】
2010174558.tif 000013